(57)【要約】【課題】視準のための視野が充分大きく取れ、且つ、データを鮮明に表示できる測距装置を提供する。【解決手段】本発明の測距装置は、送光系と、視準系と、データ表示系と、受光系と、処理系を有する。送光系は、測定用光源5、リレーレンズ６、第１のプリズム１００及び送信視準共用対物レンズ10を有する。第１のプリズム１００は、分割面と合成面とを有し、前記分割面は、第１小プリズム１、第２小プリズム２の接合面Ａであり、前記合成面は、第１小プリズム１、第３小プリズム３の接合面Bである。視準系は、送信視準共用対物レンズ10、第１のプリズム１００、第２のプリズム4、接眼レンズ１１及びレチクル12を有する。データ表示系はデータ表示素子7及び結像レンズ８を有し、受光系は受信用対物レンズ４０、フィルタ４１及び受光素子４２を有する。処理系は、信号処理装置５０を有する。【選択図】  図１
2004198386.tif 000002
【特許請求の範囲】
【請求項１】
視準光学系によって視準した目標物体へ測距光を投射し、前記目標物体から戻った前記測距光を受光して前記目標物体までの距離を測定する測距装置において、
前記視準光学系に、
視準光と前記測距光とを分割する分割面と、前記視準光とデータ表示光とを合成する合成面とを有する第１プリズムと、
前記第１プリズムからの合成光を入射して正立像とする第２プリズムとを設けると共に、
前記第１プリズムの前記合成面に前記データ表示光を入射する、データ表示光学系を設けたことを特徴とする測距装置。
【請求項２】
前記第１プリズムは互いに接合された第１小プリズムと第２小プリズムと第３小プリズムとの３つの小プリズムからなり、
前記第１小プリズムと前記第２小プリズムとの接合面が前記分割面であり、
前記第１小プリズムと前記第３小プリズムとの接合面が前記合成面であること
を特徴とする請求項１に記載の測距装置。
【請求項３】
前記分割面は不可視光を透過し、可視光を反射すること
を特徴とする請求項１または２に記載の測距装置。
【請求項４】
前記合成面は前記視準光と前記データ表示光のうち一方を透過し、もう一方を反射することによって両光を合成すること、
を特徴とする請求項１乃至３に記載の測距装置
【請求項５】
前記合成面は、前記視準光を透過させるとともに、前記データ表示光を反射させ、
前記第１小プリズムに入射した前記視準光は、前記分割面で反射し、前記第１小プリズムの内部側面で少なくとも１回全反射した後に、前記合成面に入射すること
を特徴とする請求項４に記載の測距装置。
【請求項６】
前記測距光は、前記第２小プリズム内の分割面と異なる内部側面で少なくとも１回は全反射すること
を特徴とする請求項４に記載の測距装置。
【請求項７】
前記合成面は、前記視準光を透過させるとともに、前記データ表示光を反射させ、前記データ表示光は前記第３小プリズムの内部側面で少なくとも１回全反射した後に前記合成面に入射すること
を特徴とする請求項４に記載の測距装置。
【請求項８】
前記合成面は、前記視準光を反射させるとともに、前記データ表示光を透過させ、
前記分割面に入射する視準光は、その光軸と前記分割面の法線との間の角度をθ１とする場合、θ１＝４５°を満たし、
前記分割面で反射され、前記合成面に入射する視準光は、その光軸と前記合成面の法線との間の角度をθ２とする場合、θ２＝４５°を満たし、
前記第２のプリズムは、直角プリズムであること
を特徴とする請求項４に記載の測距装置。
【請求項９】
目標物体からの視準光を対物レンズを透して受光する視準光学手段と、
前記目標物体に測距光を送信する送信光学手段と、
前記目標物体から反射された前記測距光を受光用対物レンズを透して受光する受信光学手段と、
前記測距光が送信されてから前記目標物体で反射して受信されるまでの時間差から測距値を算出する信号処理手段と、
前記測距値を表示するデータ表示手段と、を備え、
前記視準光学手段は、対物レンズと、請求項１乃至８に記載の第１プリズムおよび第２プリズムと、接眼レンズと、を有し、
前記視準光の像に前記データ表示光の像を重ねて結像すること
を特徴とする測距装置。
【請求項１０】
前記対物レンズは前記送信光学系と前記視準光学系とで共用であること
を特徴とする請求項９に記載のデータ表示装置。
【請求項１１】
前記対物レンズは前記受信光学系と前記視準光学系とで共用であること
を特徴とする請求項９に記載のデータ表示装置。
【発明の詳細な説明】
【０００１】
【産業上の利用分野】
本発明は、視準光学系とデータ表示系を有する測距装置に関する。
【０００２】
【従来の技術】
従来、視準する目標物体から眼をそらすことなくその目標物体迄の距離、角度等の情報を視準光学系の視野内に表示できるようにするため、様々な手段が用いられてきた。
【０００３】
図６は、視野内にコンパスの一部を表示させ、目標物体の方位情報を提供する装置の従来例である（例えば、特許文献１及び２）。対物レンズ１０、正立プリズム１４、レチクル１２よりなる視準光学系により、目標物体の像１３をレチクル１２上で観察する。
【０００４】
一方、自然光、または光源により照明されたコンパス１５の方位目盛りは、レンズ１６、折り曲げミラー１７を介して、同じくレチクル１２上に結像される。
【０００５】
絞り１８は、方位目盛りを表示させるため、観察視野の一部をマスクするためものであり、図７に示すように、方位目盛りを表示するための窓１９を有し、そこに方位目盛りの像を表示する。
【０００６】
また、レーザダイオードを用いて物体までの距離を測定する測距装置においては、レチクル１２を透過型液晶表示素子とし、視準光学系の視野内にその測距値、残存電池容量等のデータを表示する手段が用いられてきた（例えば、特許文献３、４及び５）。
【特許文献１】
特開２００１−１３４２０号公報「コンパス付き双眼鏡」
【特許文献２】
特開平７−４３１６２号公報「方位計」
【特許文献３】
特開平０９−２１０６８６号公報「観察装置」
【特許文献４】
特開昭６０−１４４６１０号公報「測量器の表示手段」
【特許文献５】
登録実用新案３０７４６４３号公報「測距双眼鏡」
【０００７】
【発明が解決しようとする課題】
しかし、図６の従来例のように視野の一部をマスクしてデータ専用の領域とする方法は、データの表示容量が小さければ問題ない。それが大きくなるとそれに伴ってマスクする領域も大きくしなければならず視準のための視野が圧迫されるという問題があった。
【０００８】
また、図７に示す様にマスクする領域が視野の端にあるため光学系、特に接眼レンズの収差の影響を受けて像が鮮明でないという問題もあった。
【０００９】
一方、レチクルに透過型液晶を配置する光学系では、データ表示用量、収差の影響という点では問題がない。しかし、像面１３に液晶素子を置くため、僅かな傷やゴミが目立つという問題があった。
【００１０】
また、素子の特性上透過率がかなり低下するため像が暗いという問題があった。
【００１１】
さらに周囲が暗い状況で使用した場合、入射する光が暗いため、液晶素子上のデータが判読し難くなるという問題があった。
【００１２】
本発明はこのような事情に鑑みてなされたもので、その課題は、視準のための視野が充分大きく取れ、且つ、データを鮮明に表示できる測距装置を提供することにある。
【００１３】
【課題を解決するための手段】
上記課題を解決するために、本発明の測距装置の第１の態様は、視準光学系によって視準した目標物体へ測距光を投射し、前記物体から戻った測距光を受光して前記目標物体までの距離を測定する測距装置において、前記視準光学系に、視準光と前記測距光とを分割する分割面と、前記視準光とデータ表示光とを合成する合成面とを有する第１プリズムと、前記第１プリズムからの合成光を入射して正立像とする第２プリズムとを設けると共に、前記第１プリズムの前記合成面に前記データ表示光を入射する、データ表示光学系を設ける。
【００１４】
また、第1の態様において、さらに前記第１プリズムは互いに接合された第１小プリズムと第２小プリズムと第３小プリズムとの３つの小プリズムからなり、前記第１小プリズムと前記第２小プリズムとの接合面が前記分割面であり、前記第１小プリズムと前記第３小プリズムとの接合面が前記合成面であってもよい。
【００１５】
また、前記分割面は不可視光を透過し、可視光を反射してもよい。
【００１６】
さらに、前記合成面は前記視準光と前記データ表示光のうち一方を透過し、もう一方を反射することによって両光を合成してもよい。
【００１７】
前記第２のプリズムは、前記第１のプリズムと併せて全体で前記視準光の像を正立させる正立プリズムを構成し、前記レチクル上に前記視準光の像と、前記データ表示光の像と、を結像する。
【００１８】
また、本発明において、前記第１のプリズムは、接合された第１小プリズム、第２小プリズム及び第３小プリズムを有し、前記第１小プリズムと前記第２小プリズムとの接合面Ａは分割面であり、前記第１小プリズムと前記第３小プリズムとの接合面Ｂは合成面であり、前記分割面は、前記視準光を反射させると共に、前記測距光を透過させ、前記合成面は、前記視準光を透過させると共に、前記データ表示光を反射させることとしてもよい。
【００１９】
この場合、前記分割面で反射した前記視準光が、前記第１小プリズムの内側側面で全反射した後、前記合成面に入射することとしてもよい。
或いは、前記測距光は、前記第２小プリズムに入射した後、前記第２小プリズムの内側側面で全反射して、前記分割面に到達し、前記データ表示光は、前記第３小プリズムに入射した後、前記第３小プリズムの内側側面で全反射して、前記合成面に到達することとしてもよい。
【００２０】
また、本発明において、前記第１のプリズムは、接合された第１小プリズム、第２小プリズム及び第３小プリズムを有し、前記第１小プリズムと前記第２小プリズムとの接合面Ａは分割面であり、前記第１小プリズムと前記第３小プリズムとの接合面Ｂは合成面であり、前記分割面は、前記視準光を反射させると共に、前記測距光を透過させ、前記合成面は、前記視準光を反射させると共に、前記データ表示光を透過させるようにしてもよい。
【００２１】
この場合、前記分割面に入射する視準光の光軸と前記分割面の法線との間の角度をθ１とする場合、θ１＝４５0を満たし、前記分割面で反射され、前記合成面に入射する視準光の光軸と、前記合成面の法線との間の角度をθ２とする場合、θ２＝４５0を満たし、さらに第２のプリズムは、直角プリズムであることとしてもよい。
【本発明の実施の形態】
以下、図面を参照して本発明の実施の形態について説明する。
【００２２】
図１は、本発明の第１の実施の形態に係る測距装置の概略構成図である。
【００２３】
本発明第１の実施形態の測距装置は、送光系と、視準系と、データ表示系と、受光系と、処理系と、を有する。
【００２４】
送光系は、測定用光源５と、リレーレンズ６と、第１のプリズム１００と、送信・視準共用対物レンズ１０と、を有する。
【００２５】
第１のプリズム１００は、分割面と、合成面と、を有する。
前記分割面は、第１小プリズム１と、第２小プリズム２との接合面Ａである。（以後、分割面と呼ぶ。）
【００２６】
前記合成面は、第１小プリズム１と、第３小プリズム３との接合面Ｂである。（以後、合成面と呼ぶ。）
【００２７】
視準系は、送信・視準共用対物レンズ１０と、第１のプリズム１００と、第２のプリズム４と、接眼レンズ１１と、レチクル１２と、を有する。
【００２８】
データ表示系は、データ表示素子７と、結像レンズ８と、を有する。
【００２９】
受光系は、受信用対物レンズ４０と、フィルタ４１と、受光素子４２と、を有する。
【００３０】
処理系は、測定用光源５、データ表示素子７及び受光素子４２に接続される、信号処理装置５０を有する。
【００３１】
測定用光源５は不可視光のレーザダイオードであってもよい。また、目標物体が遠距離にある場合は、測定用光源５は対物レンズ１０の焦点に置かれる。
【００３２】
分割面は、測距光を送出する測定用光源５がレーザダイオードなどの不可視光源である場合、測距光の波長帯域の光を通過させ、視準光である可視光を反射するダイクロイック膜を形成する。
【００３３】
合成面には、ハーフミラー面を形成する。合成面は視準光とデータ表示素子７からのデータ表示光とを合成する。ハーフミラー面の反射及び透過の比率はデータ表示素子７の明るさと、視準物体の明るさと、により適宜選択されるものとする。
【００３４】
第２のプリズム４にはダハプリズムを用いたが、直角プリズムであってもよく、第１のプリズム１００と併せて全体で正立プリズム系を構成する。
【００３５】
また、データ表示素子７は、例えばLED等で構成され、表示／不表示をスイッチにより操作できるように構成されている。
【００３６】
図２は、レチクル上の表示画面の一例であり、距離情報、距離単位情報、電源残存量情報などの測距データが、測距エリアと共に表示される。
【００３７】
レチクル１２は、例えば、測距エリアを予めレチクル上に印刷等しておくことで、操作者に測距エリアを視認できるようにする場合に必要である。しかし、データ表示素子７のデータのみを視認できるようにする場合には必ずしも必要ではない。
【００３８】
フィルタ４１は、目標物体で反射された測距光の波長のみ選択的に通過させる特性を有し、測距光のＳＮ比を向上させるためのものである。
【００３９】
次に上記構成の測距装置の動作を説明する。
【００４０】
スイッチによりデータ表示素子７は、表示オンの状態になっていることを、前提としている。
【００４１】
この下で、信号処理装置50の指示に従い測距用光源５から発した測距光は、リレーレンズ６により集光され、第２小プリズム２、分割面及び第１小プリズム１を通過して、送光・視準共用対物レンズ１０より目標物体に向けて平行光束として放射される。
【００４２】
目標物体からの視準光は、送信・視準共用対物レンズ１０に入射し、分割面で反射された後、第１小プリズム１の内側側面で全反射され、合成面及び第３小プリズム３を通過して、第２のプリズム４に入射する。
【００４３】
更に、視準光は、第２のプリズム４内で複数回全反射した後、第２のプリズム４から出射する。そして、レチクル１２上に目標物体の像１３を形成する。観察者は接眼レンズ１１を通してその像１３を観察することにより目標物体の視準を行う。
【００４４】
なお、図1では、第２のプリズム４がダハプリズムなので、ダハ面での反射はダハ面左右のプリズム面での反射となり、ダハ面での反射回数としては２回となる。したがって、第２のプリズム４内での全反射回数は４回となる。
【００４５】
また、目標物体で反射された測距光は、受信用対物レンズ４０及びフィルタ４１を透過し、受光素子４２に至る。
【００４６】
信号処理装置５０は、測距光が送信されてから目標物体で反射して受信されるまでの時間差から、目標物体までの測距値を計算し、測距データをデータ表示素子７に表示する。
【００４７】
データ表示素子７に表示された測距データは、結像レンズ８を透り合成面で反射された後、視準光の光軸と合成され、第２のプリズム４を通過し、レチクル１２上に結像される。
【００４８】
以上のような構成及び動作によって、以下のような効果が得られる。
【００４９】
まず、第１のプリズム１００に送信用光路、視準用光路、データ用光路が集約されているため、各々が別光学系で構成された測距装置に比較して測距装置全体を小型化できる。
【００５０】
次に、ＬＥＤなどのデータ表示素子７からの光を見られるため、夜明けや、夕暮れ等の薄暗い環境においても測距装置の距離情報やモード表示、電源の残量表示等が、明るく鮮明に表示できるため、快適に各種の情報を得ることが出来る。
【００５１】
また、データ表示素子７からのデータ表示光の像を視準光の像に重ねて結像するので、視野の一部分をマスクする必要もなく、広い視野を確保できる。さらにデータ光学系の光軸を視準光の光軸と一致させたため、データを視野の中心部に表示でき、接眼レンズ１１による像の劣化の虞れがない測距装置を得ることが出来る。
【００５２】
更に、第１のプリズム１００及び第２のプリズム４の形状とそれらの配置とを、視準光の光量低下ができるだけ小さくなるように設計することで、視準の際の視野を明るく保つことができる。
【００５３】
例えば、図１において、分割面の法線Ｃと視準光の光軸との角度をθ１とした場合、θ１を、
２０°≦θ１≦３０°
の範囲にすることで、第１のプリズム１００の形状を小型化し、視準光の光量低下を小さくできる。
【００５４】
θ１が条件の下限（２０°）以上の場合、分割面で反射された視準光が再び第１小プリズム１の側面で反射する際、全反射となり、反射に伴う光量の損失を少なくできる。
【００５５】
またθ１が上限（３０°）以下の場合、分割面で反射された視準光が再び第１小プリズム１の側面で反射する際の反射点が、下方に下がり過ぎることはない。したがって、第１小プリズム１を小さくできる。
【００５６】
また、図１において、合成面の法線Ｄと視準光の光軸との角度をθ２とした場合、θ２を、
４０o≦θ２≦５０o
の範囲にすることで、更に、第１のプリズム１００の形状を小型化できる。
【００５７】
θ２が条件の下限（４０o）以上の場合、データ光学系と第２のプリズム４との間隔が充分に取れるので、干渉を避けるために第３小プリズム３を大きくする必要は更に減少する。
【００５８】
またθ２が上限（５０o）以下の場合、第１のプリズム１００の出口での光束径は大きく、視準光がけられる虞れは更に少なくなる。したがって、第３小プリズム３を大きくしなくともよい。
【００５９】
図３は本発明に関わる第２の実施形態の概略構成図である。
【００６０】
本発明第２の実施形態の測距装置は、送光系と、視準系と、データ表示系と、受光系と、処理系と、を有する。
【００６１】
送光系は、測定用光源５と、リレーレンズ６と、第１のプリズム１００と、送信・視準共用対物レンズ１０と、を有する。
【００６２】
第１のプリズム１００は、分割面と、合成面と、を有する。
【００６３】
前記分割面は、第１小プリズム２１と、第２小プリズム２２と、との接合面Ａである。（以後分割面と呼ぶ。）
前記合成面は、第１小プリズム２１と、第３小プリズム２３との接合面Ｂである。（以後合成面と呼ぶ。）
視準系は、送信・視準共用対物レンズ１０と、第１のプリズム１００と、第２のプリズム２４と、接眼レンズ１１と、レチクル12と、を有する。
【００６４】
データ表示系は、データ表示素子７と、結像レンズ８と、を有する。
受光系は、受信用対物レンズ４０と、フィルタ４１と、受光素子４２と、を有する。
【００６５】
処理系は、測定用光源５、データ表示素子７及び受光素子４２に接続される、信号処理装置５０を有する。
【００６６】
第２のプリズム２４はダハプリズムであるが、直角プリズムでもよく、第１のプリズム１００と併せて全体で正立プリズム系を構成する。
【００６７】
次に上記構成の測距装置の動作を説明する。
【００６８】
測定用光源５からの測距光は、リレーレンズ６により集光され、第２小プリズム２２に入射し、第２小プリズム２２の内部で全反射した後、分割面に至る。測距光は分割面及び第１小プリズム２１を透過し、送信・視準共用対物レンズ１０に達し、送信・視準共用対物レンズ１０より目標物体に向けて放射される。
【００６９】
目標物体からの視準光は、送信・視準共用対物レンズ１０で集光され、第１小プリズム２１に入射し分割面に到達する。到達した視準光は、分割面で反射された後、更に第１小プリズム２１を透過し合成面に至る。更に、視準光は合成面及び第３小プリズム２３を透過し、第２のプリズム２４に入射する。入射した視準光は第２のプリズム２４内で複数回全反射した後、第２のプリズム２４から出射する。そして、レチクル１２上に目標物体の像１３を形成する。観察者は接眼レンズ１１を通してその像１３を観察することにより目標物体の視準を行なう。ここで、第２のプリズム２４はダハプリズムなので、第２のプリズム２４での視準光の全反射回数は、ダハ面での反射を含めて3回となる。
【００７０】
また、目標物体で反射された測距光は、受信用対物レンズ４０及びフィルタ４１を透過し、受光素子４２に至る。
【００７１】
信号処理装置５０は、測距光が送信されてから目標物体で反射して受信されるまでの時間差から、目標物体までの測距値を計算し、測距データをデータ表示素子7に表示する。
【００７２】
データ表示素子７に表示された測距データは、結像レンズ８を透り合成面で反射された後、視準光の光軸と合成され、第２のプリズム４を通過し、レチクル１２上に結像される。
【００７３】
以上、第２の実施形態の動作を説明した。
【００７４】
ここで、第２の実施形態では、第１の実施形態における第１のプリズム１００内での視準光の反射回数が２回であったのに比べ、１回となっている。また、第２のプリズム２４での視準光の反射回数が、第１の実施形態に比べ１回少なくなっているのが特徴である。
【００７５】
図３に示す第２の実施形態で、更に、以下のような条件を付け加えてもよい。
【００７６】
分割面の法線Ｃと視準光の光軸との角度をθ１としたとき、θ１は、
５０o≦θ１≦７０o
の範囲にあれば、第１のプリズム１００を小型化することが可能であり、光量の損失を抑えることができる。
【００７７】
θ１が条件の下限（５０o）以上の場合、第２のプリズム２４の出口の径を大きくできるため、第２のプリズム２４の大きさを抑えることができる。
【００７８】
またθ１が上限（７０o）以下の場合、視準光の傾きは小さく、第１のプリズム１００の大きさは抑えられる。
【００７９】
また、合成面の法線Ｄと視準光の光軸との角度をθ２としたとき、θ２は、
２０o≦θ２≦４０o
の範囲にあると、θ１と同様に、第１のプリズム１００を小型化することが可能であり、光量の損失を抑えることができる。
【００８０】
θ２が条件の下限（２０o）以上の場合、データ光学系からのデータ表示光が第３小プリズム２３で反射する際に全反射となり、反射に伴うデータ表示光の光量低下は避けられる。
【００８１】
また、θ２が上限（４０o）以下の場合、第３小プリズム２３の入口での光束径は充分な大きさをもち、データ表示光がけられる可能性は低い。
【００８２】
図４は本発明に関わる第３の実施形態の概略構成図である。
【００８３】
本発明第３の実施形態の測距装置は、送光系と、視準系と、データ表示系と、受光系と、処理系と、を有する。
【００８４】
送光系は、測定用光源５と、リレーレンズ６と、第１のプリズム１００と、送信・視準共用対物レンズ１０と、を有する。
【００８５】
第１のプリズム１００は、分割面と、合成面と、を有する。
【００８６】
前記分割面は、第１小プリズム３１と、第２小プリズム３２との接合面Ａである。（以後分割面と呼ぶ。）
【００８７】
前記合成面は、第１小プリズム３１と、第３小プリズム３３との接合面Ｂである。（以後合成面と呼ぶ。）
【００８８】
視準系は、送信・視準共用対物レンズ１０と、第１のプリズム１００と、第２のプリズム３４と、接眼レンズ１１と、レチクル１２と、を有する。
【００８９】
データ表示系は、データ表示素子7と、結像レンズ８と、を有する。
【００９０】
受光系は、受信用対物レンズ４０と、フィルタ４１と、受光素子４２と、を有する。
【００９１】
処理系は、測定用光源５、データ表示素子7及び受光素子４２に接続される、信号処理装置５０を有する。
【００９２】
なお、第１のプリズム１００に含まれる第１小プリズム３１及び第２のプリズム３４は直角プリズムである。
【００９３】
更に、第２のプリズム３４と、第１のプリズム１００とを併せて全体で正立プリズム系を構成する。
【００９４】
正立プリズム系として直角プリズムを使用するため、入射光と分割面、合成面の法線のなす角度は各々４５oとなっている。即ち、プリズムの形状として前記分割面は、対物レンズ側の光軸に対し、反射面の法線の角度をθ１とするとき、
θ１＝４５o
を満たし、かつ合成面に入射するときの合成面の入射光線に対する法線の角度をθ２とするとき、
θ２＝４５o
を満たす。
【００９５】
次に上記構成の測距装置の動作を説明する。
【００９６】
測定用光源５からの測距光は第２小プリズム３２に入射し、分割面及び第１プリズム３1を透過し、対物レンズ１０に達し、対物レンズ１０より目標物体に向けて放射される。
【００９７】
一方、目標物体からの視準光は、測距光と共用される対物レンズ１０で集光され、第１小プリズム３1に入射し、分割面に到達する。視準光は、分割面で反射された後、更に第１小プリズム３１を透過し合成面に至る。合成面で反射した視準光は、第１小プリズム３１を透過し、第２のプリズム３４に入射する。視準光は第２のプリズム３４内で2回全反射した後、第２のプリズム３4から出射する。そして、レチクル１２上に目標物体の像１３を形成する。観察者は接眼レンズ１１を通してその像１３を観察することにより目標物体の視準を行う。
【００９８】
また、目標物体で反射された測距光は、受信用対物レンズ４０及びフィルタ４１を透過し、受光素子４２に至る。
【００９９】
信号処理装置５０は、測距光が送信されてから目標物体で反射して受信されるまでの時間差から、目標物体までの測距値を計算し、測距データをデータ表示素子７に表示する。
【０１００】
データ表示素子７に表示された測距データは、結像レンズ８を透り、合成面を透過した後、視準光の光軸と合成され、第２のプリズム３４を通過し、レチクル１２上に結像される。
【０１０１】
第３実施形態において、合成面は、視準光を反射し、データ表示光を透過させ、透過したデータ表示光と反射した視準光を合成させている。
【０１０２】
第１実施形態、第２実施形態においては、分割面は、視準光を透過し、データ表示光を反射させ、透過した視準光と反射したデータ表示光合成させている。
【０１０３】
この分割面が持つ性質の違いが、第１実施形態及び第２実施形態と第３実施形態との構成の差異に反映されている。
【０１０４】
図４においてデータ表示素子７、結像レンズ８とレチクル１２、像１３、接眼レンズ１１の光軸が重なって描かれている。しかし、図５に示すように、第２のプリズム３４に入射する視準光と、第２のプリズム３４から射出する視準光とは、同軸ではない平行光線となる。したがって、これら二つの軸上の部材が干渉することはない。
【０１０５】
尚、本発明は、上記の実施形態に限定されるものではない。その要旨の範囲内で数々の変形が可能である。
【０１０６】
例えば、前述の各実施形態では対物レンズ１０を送信光学系と視準光学系に共用とし、受信光学系を別置きの光学系としたが、逆に別置きの受信光学系を送信光学系とし、対物レンズ１０を受信光学系と視準光学系に共用としても差し支えない。
【０１０７】
【発明の効果】
以上詳しく説明したように、本発明によれば、視準のための視野が十分大きく、かつ、データを鮮明に表示できる測距装置を提供することが可能となる。
【図面の簡単な説明】
【図１】本発明に関わる第１実施形態の測距装置の構成図である。
【図２】図1に示すレチクル表示画面の一例である。
【図３】本発明に関わる第２実施形態の測距装置の構成図である。
【図４】本発明に関わる第３実施形態の測距装置の構成図である。
【図５】図４に示すプリズムと光軸配置の簡略図である。
【図６】従来のデータ表示装置つき望遠鏡の構成図である。
【図７】図６に示すレチクル表示画面の一例である。
【符号の説明】１…第１小プリズム、２…第２小プリズム、３…第３小プリズム、４…第２のプリズム、５…測定用光源、６…リレーレンズ、７…データ表示素子、８…結像レンズ、１０…送信、視準共用対物レンズ、１１…接眼レンズ、１２…レチクル、１３…観察像、１４…直角プリズム、１５…コンパス、１６…結像レンズ、１７…反射鏡、１８…マスク、１９…データ表示窓、２１…第１小プリズム、２２…第２小プリズム、２３…第３小プリズム、２４…第２のプリズム、３１…第１小プリズム、３２…第２小プリズム、３３…第３小プリズム、３４…第２のプリズム、４０…受信用対物レンズ、４１…フィルタ、４２…受光素子、５０…信号処理装置、１００…第１のプリズム。
【図１】
2004198386.tif 000003
【図２】
2004198386.tif 000004
【図３】
2004198386.tif 000005
【図４】
2004198386.tif 000006
【図５】
2004198386.tif 000007
【図６】
2004198386.tif 000008
【図７】
2004198386.tif 000009